(57)【要約】      （修正有）【課題】インナーパネルの上面と下面に備える爪を前面パネルの上部及び下部の孔へ嵌合させることによって前面パネルの後面にインナーパネルを固定する電子機器において、専用部材を用いることなく容易にインナーパネルを前面パネルから取り外すことができる電子機器を提供する。【解決手段】筐体と、コの字型を成し筐体５に固定され前後に貫通する貫通孔を備え上面と下面の両端部分に各々外側へ開口し上下に貫通する孔を備える前面パネル部２と、前面パネル部２の上面及び下面に備えられた孔に嵌合する爪部を備えパネルの貫通孔と相対する位置に貫通する貫通孔を備え裏面に後方へ開口する孔を備える円筒部を有するインナーパネル部３と、操作部４を備え貫通する孔を備える基板６と、基板６をインナーパネル部３に固定する雄ネジ９とを備え、インナーパネル部３は、切り欠き３０２によって形成されインナーパネル部３の左部分及び右部分を接続する腕部を備える。【選択図】      図２
2006295105.tif 000002
【特許請求の範囲】
【請求項１】
箱型を成し内部に電子回路を固定する筐体と、上部及び下部が後方へ突出するコの字型を成し前記筐体の前面に固定され前後に貫通する貫通孔を備え上面及び下面の両端部分にそれぞれ外側へ開口し上下に貫通する孔を備える前面パネル部と、前記前面パネル部の上面及び下面に備えられた孔に嵌合する爪部を備え前記パネルの貫通孔と相対する位置に貫通する貫通孔を備え裏面に後方へ開口する孔を備える円筒部を有するインナーパネル部と、前記インナーパネル部の貫通孔から突出し操作時に前記電子回路の動作に関する設定信号を出力する操作部を備え前記インナーパネル部の後方に配設され前記円筒部の孔と相対する位置に貫通する孔を備える基板と、前記基板の孔を介して前記円筒部の孔に締結されることにより前記基板を前記インナーパネル部に固定する雄ネジとを備え、
前記インナーパネル部は、前後に貫通する切り欠きによって形成され当該インナーパネル部の左部分及び右部分を接続する腕部を備えることを特徴とする電子機器。
【請求項２】
請求項１記載の電子機器において、
前記腕部は、前記前面パネル部に対して垂直方向に直線部分を有し上端部分が前記インナーパネルの左部分または右部分のいずれか一方に接続され下端部分が当該一方と異なる他方に接続される垂直部を備えることを特徴とする電子機器。
【発明の詳細な説明】
【技術分野】
【０００１】
本発明は、前面パネルの裏面に操作部を固定するインナーパネル部が取り付けられた電子機器に関する。
【背景技術】
【０００２】
従来の電子機器として、オーディオ信号記録装置を例に挙げ説明する。
図１０は、従来のオーディオ信号記録装置の一例を示す斜視図である。
オーディオ信号記録装置１００は、操作部４、筐体５、前面パネル部２００、図示しない入力部、記録部及び制御部を備える。筐体５は、前方が開口する箱型を成す。前面パネル部２００の後方には、後述するインナーパネル部が固定される。
図１１は、従来のオーディオ信号記録装置の前面パネル部、インナーパネル部及び操作部を示す斜視図である。
オーディオ信号記録装置１００は、基板６、雄ネジ９及びインナーパネル部３００を備える。
【０００３】
前面パネル部２００は、上部及び下部が後方に突出したコの字型を形成するアルミ部材から成り、図示しないネジによって筐体５の前面に固定される。前面パネル部２００の上面及び下面の後端には、内側方向へ段差を形成した平面部２０２及び平面部２０３をそれぞれ備える。平面部２０２の左右の端部には、それぞれ上下に貫通する孔２１０及び孔２１１を備え、平面部２０３の左右の端部には、それぞれ上下に貫通する孔２１２及び孔２１３を備える。前面パネル部２００は、前後に貫通する孔２０１を備える。
【０００４】
インナーパネル部３００は、プラスチックなどの樹脂部材から成り、上部及び下部が後方に突出したコの字型を成す。インナーパネル部３００は、上面の左右の端部にそれぞれ爪部３０４及び爪部３０５を備え、下面の左右の端部にそれぞれ爪部３０６及び爪部３０７を備える。インナーパネル部３００の上面から下面までの長さは、平面部２０２の下面から平面部２０３の上面までの長さより僅かに小さい。インナーパネル部３００は、前面パネル部２００の後方から平面部２０２及び平面部２０３の間をスライドさせながら前方へ挿入することによって、爪部３０４〜爪部３０７が平面部２０２及び平面部２０３の後端に当接してインナーパネル部３００の上面及び下面が内側へ撓み、更にインナーパネル部３００を前方へ挿入することにより、爪部３０４〜爪部３０７がそれぞれ孔２１０〜孔２１３に嵌合し、前面パネル部２００の後方に固定される。
【０００５】
インナーパネル部３００は、前面パネル部２００に固定された状態で前面パネル２００の孔２０１と相対する位置に前後に貫通する孔３０１を備える。インナーパネル部３００は、その裏面の両端部分にそれぞれ円筒型を成し後方へ突出する円筒部７を備える。円筒部７は、後方へ開口する孔７０１を備える。
【０００６】
薄い板状を成す基板６は、操作部４を備える。基板６は、さらにインナーパネル部３００に取り付けられた状態において、インナーパネル部３００の円筒部７と相対する位置に前後に貫通する孔６０１を備える。雄ネジ９は、基板６の孔６０１と円筒部７の孔７０１へ挿入され、ネジ頭部を回転させることによって孔７０１の内壁にネジ山が形成されながら孔７０１へ締め付けられる。基板６は、円筒部７の裏面と雄ネジ９のネジ頭部に狭持されることによって、前面パネル部２００に固定されたインナーパネル部３００に固定される。この状態において、操作部４の先端は、孔３０１を介して孔２０１から前方へ突出する。
【０００７】
図示しない入力部は、図示しない導電ケーブルを介して他の装置から出力されたオーディオ信号を入力し、図示しない記録部へ出力する。操作部４は、切替えスイッチから成り、操作部４の操作により基板６はオーディオ信号の記録のオン・オフを切替える設定信号を出力する。図示しない制御部は、基板６からオーディオ信号の記録をオンする設定信号が出力されると、入力部から入力されたオーディオ信号を記録し、基板６からオーディオ信号の記録をオフする設定信号が出力されると、入力部から入力されたオーディオ信号の記録を停止するよう記録部を制御する。記録部は、制御部の制御により、入力部からのオーディオ信号の記録を開始し、またはオーディオ信号の記録を停止する。
【０００８】
以上により、オーディオ信号記録装置１００は、他の装置から入力されたオーディオ信号を記録する。
【０００９】
近年、環境保護のために、電子機器等に用いた資材を有効利用する資材リサイクル活動が高まりつつある。電子機器を構成する複数の種類の部材をリサイクル活用する場合、それぞれの部材を分離し回収する作業が必要になる。
【００１０】
従来のオーディオ信号記録装置１００の前面パネル部２００及びインナーパネル部３００をリサイクル活用する場合、インナーパネル部３００を前面パネル部２から分離することが必要となる。爪部３０４〜爪部３０７がそれぞれ孔２１０〜孔２１３に嵌合した状態で固定されたインナーパネル部３００を前面パネル部２００から分離するためには、爪部３０４〜爪部３０７のそれぞれの爪の頂点が孔２１０〜孔２１３よりも内側となるように爪部３０４〜爪部３０７のそれぞれの爪部の頂点を前面パネル部２の孔２０４〜孔２０７から押圧し、インナーパネル部３００の上部及び下部を内側に撓ませた状態で、インナーパネル部３００を後方へ引き抜くという手段がある。しかしながら、この作業を行なう過程において、爪部３０４〜爪部３０７のうち、いずれか１つの爪部の頂点が孔２０４〜孔２０７に当接してしまうと、爪部が孔の内壁に引っ掛かってしまい、インナーパネル部３００を後方に引き抜くことができなくなるため、爪部３０４〜爪部３０７の全ての頂点を正確に押圧するための作業が非常に煩わしいものとなる。
【００１１】
このような、爪部と孔の嵌合により固定された前面パネル部とインナーパネル部とを取り外す方法として、予め前面パネル部に備えた貫通孔からインナーパネル部を後方へ押圧することによって取り外す方法が知られている（例えば、特許文献１参照。）。このように、爪部と孔の嵌合により固定された前面パネル部とインナーパネル部とを取り外す場合は、インナーパネル部の上面及び下面に備えた爪部が折れる程度の力でインナーパネル部を前面パネル部の反対方向へ押圧することによって、前面パネルへ固定されたインナーパネル部を取り外すことができる。
【００１２】
【特許文献１】特開２００１−９４２６８号公報
【発明の開示】
【発明が解決しようとする課題】
【００１３】
しかしながら、前面パネル部２００の前方からインナーパネル部３００が露出してしまうとオーディオ信号記録装置１００の外観が損なわれることから、孔３０１の内径を孔２０１と略同一とするか、または孔３０１の内径を孔２０１より大きくし、前面パネル部２００の前方からインナーパネル部３００が露出しないようにする必要がある。このため、前面パネル部２００の前方からインナーパネル部３００を後方へ押圧する部分がなく、インナーパネル部３００を前面パネル部２とは反対の方向へ押圧することができない。このため、例えば、前面パネル部２００の孔２０１と異なる箇所に貫通孔を備え、インナーパネル部３００の前面がこの貫通穴から露出するようにし、この貫通孔へ棒状の部材から成る専用部材を挿入してインナーパネル部３００を前面パネル部２００とは反対の方向へ押圧するようにすれば、インナーパネル部３００を前面パネル部２００から取り外すことができる。しかし、この場合、前面パネル部２００の貫通孔からは常にインナーパネル部３００が露出してしまい、オーディオ信号記録装置１００の外観が損なわれてしまう。また、インナーパネル部３００を前面パネル部２００から取り外すためには、前述したような専用部材が必要であるため、例えば、専用部材を紛失してしまった場合、この専用部材の代用となる部材を調達して、インナーパネル部３００の取り外し作業を行なわなければならず、この取り外し作業に手間が掛かってしまう。
【００１４】
本発明は、インナーパネルの上面及び下面に備える爪を前面パネルの上部及び下部の孔へ嵌合させることによって前面パネルの後面にインナーパネルを固定する電子機器において、専用部材を用いることなく容易にインナーパネルを前面パネルから取り外すことができる電子機器を提供することを目的とする。
【課題を解決するための手段】
【００１５】
本願の請求項１記載の発明は、電子機器において、箱型を成し内部に電子回路を固定する筐体と、上部及び下部が後方へ突出するコの字型を成し前記筐体の前面に固定され前後に貫通する貫通孔を備え上面及び下面の両端部分にそれぞれ外側へ開口し上下に貫通する孔を備える前面パネル部と、前記前面パネル部の上面及び下面に備えられた孔に嵌合する爪部を備え前記パネルの貫通孔と相対する位置に貫通する貫通孔を備え裏面に後方へ開口する孔を備える円筒部を有するインナーパネル部と、前記インナーパネル部の貫通孔から突出し操作時に前記電子回路の動作に関する設定信号を出力する操作部を備え前記インナーパネル部の後方に配設され前記円筒部の孔と相対する位置に貫通する孔を備える基板と、前記基板の孔を介して前記円筒部の孔に締結されることにより前記基板を前記インナーパネル部に固定する雄ネジとを備え、前記インナーパネル部は、前後に貫通する切り欠きによって形成され当該インナーパネル部の左部分及び右部分を接続する腕部を備えることを特徴とする。
【００１６】
本願の請求項２記載の発明は、請求項１記載の電子機器において、前記腕部は、前記前面パネル部に対して垂直方向に直線部分を有し上端部分が前記インナーパネルの左部分または右部分のいずれか一方に接続され下端部分が当該一方と異なる他方に接続される垂直部を備えることを特徴とする。
【発明の効果】
【００１７】
本発明の電子機器によれば、インナーパネルの上面及び下面に備える爪を前面パネルの上部及び下部の孔へ嵌合させることによって前面パネルの後面にインナーパネルを固定する電子機器において、専用部材を用いることなく容易にインナーパネルを前面パネルから取り外すことができる電子機器を提供することができる。
【発明を実施するための最良の形態】
【００１８】
本発明の実施の形態を図面を参照して説明する。なお、従来技術で示した構成要素と同一の部分については同符号を用いる。
【００１９】
本発明の電子機器の一実施例として、オーディオ信号記録装置を例に挙げ説明する。
図１は、本発明の第１実施例のオーディオ信号記録装置を示す斜視図である。
オーディオ信号記録装置１は、操作部４、筐体５、前面パネル部２、図示しない入力部、記録部及び制御部を備える。筐体５は、前方が開口する箱型を成す。前面パネル部２の後方には、後述するインナーパネル部が固定される。
図２は、本発明の第１実施例のオーディオ信号記録装置の前面パネル部、インナーパネル部及び操作部を示す斜視図である。
オーディオ信号記録装置１は、基板６、雄ネジ９及びインナーパネル部３００を備える。
【００２０】
筐体５は、前方が開口する箱型を成す。前面パネル部２は、上部及び下部が後方に突出したコの字型を形成するアルミ部材から成り、図示しないネジによって筐体５の前面に固定される。前面パネル部２の上面及び下面の後端には、内側方向へ段差を形成した平面部２０２及び平面部２０３をそれぞれ備える。
【００２１】
平面部２０２の左右の端部には、それぞれ外側に開口すると共に上下に貫通する孔２０４及び孔２０５を備え、平面部２０３の左右の端部には、それぞれ外側に開口すると共に上下に貫通する孔２０６及び孔２０７を備える。前面パネル部２００は、前後に貫通する孔２０１を備える。
【００２２】
インナーパネル部３は、プラスチックなどの樹脂部材から成り、上部及び下部が後方に突出したコの字型を成す。インナーパネル部３は、その裏面の両端部分にそれぞれ円筒型を成し後方へ突出する円筒部７を備える。円筒部７は、後方へ開口する孔７０１を備える。
【００２３】
薄い板状を成す基板６は、操作部４を備える。基板６は、さらにインナーパネル部３に取り付けられた状態において、インナーパネル部３の円筒部７と相対する位置に前後に貫通する孔６０２を備える。雄ネジ９は、基板６の孔６０１と円筒部７の孔７０１へ挿入され、ネジ頭部を回転させることによって孔７０１の内壁にネジ山が形成されながら孔７０１へ締め付けられる。基板６は、円筒部７の裏面と雄ネジ９のネジ頭部に狭持されることによって、前面パネル部２に固定されたインナーパネル部３に固定される。
【００２４】
図３は、本発明の第１実施例のインナーパネル部３を示す図で、図３（ａ）は上面図、図３（ｂ）は後面図である。
インナーパネル部３は、前面パネル部２に固定された状態で前面パネル２の孔２０１と相対する位置に前後に貫通する孔３０１を備える。インナーパネル部３は、上面の左右の端部にそれぞれ爪部３０４及び爪部３０５を備え、下面の左右の端部にそれぞれ爪部３０６及び爪部３０７を備える。
【００２５】
爪部３０４の内側の側壁から爪部３０５の内側の側壁までの幅は、図２に示す前面パネル部の孔２０４の内壁から孔２０５の内壁までの幅より僅かに大きい。爪部３０６の内側の側壁から爪部３０７の内側の側壁までの幅は、図２に示す前面パネル部の孔２０６の内壁から孔２０７の内壁までの幅より僅かに大きい。インナーパネル部３の上面から下面までの長さは、図２に示す前面パネル部の平面部２０２の下面から平面部２０３の上面までの長さより僅かに小さい。インナーパネル部３は、略中央の上部、中央部及び下部に前後に貫通する切り欠き３０２を備える。インナーパネル部３は、切り欠き３０２によって形成されインナーパネル部３の左部分及び右部分を接続する腕部３００を備える。
【００２６】
図４は、本発明の第１実施例の前面パネル部２、インナーパネル部３及び操作部４を示す図で、図４（ａ）は基板６が雄ネジ９によってインナーパネル部３へ固定されている状態でインナーパネル部３を前面パネル部２の後方から挿入しようする様子を示す断面図、図４（ｂ）は図４（ａ）の状態からインナーパネル部３が前面パネル部２に固定された状態を示す断面図である。
【００２７】
図４（ａ）に示すように、前面パネル部２の後方からインナーパネル部３を前方へ挿入し、平面部２０２の下面及び平面部２０３の上面にインナーパネル部３の上面及び下面がスライドするように挿入する。すると、インナーパネル部３の爪部３０４〜爪部３０７が平面部２０２及び平面部２０３の後端に当接することによって、インナーパネル部３の上面及び下面が内側へ撓む。そして、更にインナーパネル部３を前方へ挿入すると、図４（ｂ）に示すように、爪部３０４〜爪部３０７がそれぞれ孔２０４〜孔２０７に嵌合し、インナーパネル部３は前面パネル部２の後方に固定される。この状態において、操作部４の先端は、孔３０１を介して孔２０１から前方へ突出する。
【００２８】
図示しない入力部は、図示しない導電ケーブルを介して他の装置から出力されたオーディオ信号を入力し、図示しない記録部へ出力する。操作部４は、切替えスイッチから成り、操作部４の操作により基板６はオーディオ信号の記録のオン・オフを切替える設定信号を出力する。図示しない制御部は、基板６からオーディオ信号の記録をオンする設定信号が出力されると、入力部から入力されたオーディオ信号を記録し、基板６からオーディオ信号の記録をオフする設定信号が出力されると、入力部から入力されたオーディオ信号の記録を停止するよう記録部を制御する。記録部は、制御部の制御により、入力部からのオーディオ信号の記録を開始し、またはオーディオ信号の記録を停止する。
【００２９】
以上により、オーディオ信号記録装置１は、他の装置から入力されたオーディオ信号を記録する。
【００３０】
図５は、本発明の第１実施例のオーディオ信号記録装置１の前面パネル部２及びインナーパネル部３を示す図で、図５（ａ）は上面図、図５（ｂ）は後面図である。
図６は、本発明の第１実施例のオーディオ信号記録装置１において、図５（ａ）及び図５（ｂ）の状態からインナーパネル部３の左右部分をそれぞれ外側へ引いた様子を示す図で、図６（ａ）は上面図、図６（ｂ）は後面図である。
【００３１】
インナーパネル部３を前面パネル部２から取り外す場合は、先ず、図４（ａ）及び図４（ｂ）に示す状態から雄ネジ９を緩め、図５（ａ）及び図５（ｂ）に示すように円筒部７から基板６を取り外す。次に、インナーパネル部３の後面の左側及び右側に備える円筒部７の内側へそれぞれ指を掛架した後、この掛架した指によって、左側及び右側の円筒部７をそれぞれ外側へ引く。
【００３２】
すると、図６（ａ）及び図６（ｂ）に示すように、切り欠き３０２によって形成された腕部３００は、円筒部７に掛架した指の外側へ引く力により切断され、また、それと同時に、前面パネル部２の上面及び下面の左右に備える孔２０４〜孔２０７がそれぞれ外側に開口していることにより、孔２０４〜孔２０７に嵌合した爪部３０４〜爪部３０７は、それぞれ孔２０４〜孔２０７の内壁に沿って外側へスライドする。この結果、インナーパネル部３の右半分が前面パネル部２の右側から取り外され、インナーパネル部３の左半分が前面パネル部２の左側から取り外される。
【００３３】
以上の構成により、本発明の第１実施例のオーディオ信号記録装置１は、インナーパネル部３の後面の両端に備えた円筒部７をそれぞれ外側に引くことによって、インナーパネル部３の切り欠き３０２によって形成された腕部３００が切断されると共に爪部３０４〜爪部３０７がそれぞれ孔２０４〜孔２０７の内壁に沿って外側へスライドし、インナーパネル部３の右半分及び左半分を前面パネル部２の右側及び左側から簡単に取り外すことができる。
【００３４】
これにより、前面パネル部２の孔２０１と異なる位置にインナーパネル部３を後方へ押圧するための貫通孔を備える必要がないので、前面パネル部２の貫通孔から常にインナーパネル部３が露出してしまうことを防止することができる。また、インナーパネル部３を前面パネル部２から取り外すための専用部材を必要としないので、この専用部材を紛失してしまい、取り外し作業に手間が掛かってしまうことを防止することができる。
【００３５】
次に、本発明の一実施例のオーディオ信号記録装置の第２実施例について説明する。
第２実施例におけるオーディオ信号記録装置は、インナーパネル部の構成以外は、第１実施例の構成と同じであるため、詳細な説明は省略する。
【００３６】
図７は、本発明の第２実施例のインナーパネル部を示す図で、図７（ａ）は上面図、図７（ｂ）は後面図である。
インナーパネル部３０は、第１実施例と同様に、前面パネル部２に固定された状態で前面パネル２の孔２０１と相対する位置に前後に貫通する孔３０１を備える。インナーパネル部３０は、第１実施例と同様に、上面の左右の端部にそれぞれ爪部３０４及び爪部３０５を備え、下面に左右の端部にそれぞれ爪部３０６及び爪部３０７を備える。爪部３０４〜爪部３０７の形状及び位置は、第１実施例で説明した構成と同一であるため説明を省略する。
【００３７】
インナーパネル部３０は、略中央の上部、中央部及び下部に前後に貫通する切り欠き３０２を備える。インナーパネル部３０は、切り欠き３０２により形成されインナーパネル部３０の左部分と右部分を接続する腕部３０８を備える。腕部３０８は、垂直方向に直線部分を有し、上端部分がインナーパネル部３０を後方から見て左部分（図７（ｂ）に示す左方向）に接続され下端部分がインナーパネル部３０を後方から見て右部分（図７（ｂ）に示す右方向）に接続される垂直部３０９を備える。第２実施例では、垂直部３０９の上端部分がインナーパネル部３０を後方から見て左部分（図７（ｂ）に示す左方向）に接続され下端部分がインナーパネル部３０を後方から見て右部分（図７（ｂ）に示す右方向）に接続される構成としたが、垂直部の上端部分がインナーパネル部３０を後方から見て右部分（図７（ｂ）に示す右方向）に接続され下端部分がインナーパネル部３０を後方から見て左部分（図７（ｂ）に示す左方向）に接続される構成としても良い。
【００３８】
図８は、本発明の第２実施例のオーディオ信号記録装置１の前面パネル部２及びインナーパネル部３０を示す図で、図８（ａ）は上面図、図８（ｂ）は後面図である。
図９は、本発明の第２実施例のオーディオ信号記録装置１において、図８（ａ）及び図８（ｂ）の状態からインナーパネル部３０の左右部分をそれぞれ外側へ引いた様子を示す図で、図９（ａ）は上面図、図９（ｂ）は後面図である。
【００３９】
インナーパネル部３０を前面パネル部２から取り外す場合は、先ず、第１実施例で説明したように、図４（ａ）及び図４（ｂ）に示す状態から雄ネジ９を緩め、図５（ａ）及び図５（ｂ）に示すように円筒部７から基板６を取り外す。次に、インナーパネル部３０の後面の左側及び右側に備える円筒部７の内側へそれぞれ指を掛架した後、この掛架した指によって、左側及び右側の円筒部７をそれぞれ外側へ引く。
【００４０】
すると、図９（ａ）及び図９（ｂ）に示すように、腕部３０８には、円筒部７に掛架した指の外側へ引く力により左右両側へ引っ張られる。このとき、垂直部３０９には、上端部分及び下端部分がそれぞれ左右反対方向へ引っ張られることにより剪断力が作用し、その結果、インナーパネル部３０は、垂直部３０９を境として左右に分割され、また、それと同時に、前面パネル部２の上面及び下面の左右に備える孔２０４〜孔２０７がそれぞれ外側に開口していることにより、孔２０４〜孔２０７に嵌合した爪部３０４〜爪部３０７は、それぞれ孔２０４〜孔２０７の内壁に沿って外側へスライドする。この結果、インナーパネル部３０の右半分が前面パネル部２の右側から取り外され、インナーパネル部３０の左半分が前面パネル部２の左側から取り外される。
【００４１】
以上の構成により、第２実施例のオーディオ信号記録装置１は、インナーパネル部３０の後面の両端に備えた円筒部７をそれぞれ外側に引くことによって、インナーパネル部３０の中央部分に形成された腕部３０８の部分が切断されると共に爪部３０４〜爪部３０７がそれぞれ孔２０４〜孔２０７の内壁に沿って外側へスライドし、インナーパネル部３０の右半分及び左半分を前面パネル部２の右側及び左側から簡単に取り外すことができる。
【００４２】
第２実施例のオーディオ信号記録装置１は、インナーパネル部３０の右部分及び左部分をそれぞれ前面パネル部２の右側及び左側から取り外すために、インナーパネル部３０の後面の両端に備えた円筒部７をそれぞれ外側に引く場合、腕部３０８の垂直部３０９に剪断力が生じることから、例えば、インナーパネル部３０の左右部分を直線状に接続する腕部を備える場合と比較して少ない力で腕部３０８の左右部分を切断させることができ、インナーパネル部３０の右半分及び左半分を前面パネル部２の右側及び左側から容易に取り外すことができる。
【図面の簡単な説明】
【００４３】
【図１】本発明の第１実施例のオーディオ信号記録装置を示す斜視図。
【図２】本発明の第１実施例のオーディオ信号記録装置の前面パネル部、インナーパネル部及び操作部を示す斜視図。
【図３】本発明の第１実施例のインナーパネル部３を示す図で、図３（ａ）は上面図、図３（ｂ）は後面図。
【図４】本発明の第１実施例の前面パネル部２、インナーパネル部３及び操作部４を示す図で、図４（ａ）は基板６が雄ネジ９によってインナーパネル部３へ固定されている状態でインナーパネル部３を前面パネル部２の後方から挿入しようする様子を示す断面図、図４（ｂ）は図４（ａ）の状態からインナーパネル部３が前面パネル部２に固定された状態を示す断面図。
【図５】本発明の第１実施例のオーディオ信号記録装置１の前面パネル部２及びインナーパネル部３を示す図で、図５（ａ）は上面図、図５（ｂ）は後面図。
【図６】本発明の第１実施例のオーディオ信号記録装置１において、図５（ａ）及び図５（ｂ）の状態からインナーパネル部３の左右部分をそれぞれ外側へ引いた様子を示す図で、図６（ａ）は上面図、図６（ｂ）は後面図。
【図７】本発明の第２実施例のインナーパネル部を示す図で、図７（ａ）は上面図、図７（ｂ）は後面図。
【図８】本発明の第２実施例のオーディオ信号記録装置１の前面パネル部２及びインナーパネル部３０を示す図で、図８（ａ）は上面図、図８（ｂ）は後面図。
【図９】本発明の第２実施例のオーディオ信号記録装置１において、図８（ａ）及び図８（ｂ）の状態からインナーパネル部３０の左右部分をそれぞれ外側へ引いた様子を示す図で、図９（ａ）は上面図、図９（ｂ）は後面図。
【図１０】従来のオーディオ信号記録装置の一例を示す斜視図。
【図１１】従来のオーディオ信号記録装置の前面パネル部、インナーパネル部及び操作部を示す斜視図。
【符号の説明】
【００４４】
１  オーディオ信号記録装置、２  前面パネル部、２０１  孔、
２０２  平面部、２０３  平面部、
２０４  孔２０４、２０５  孔、２０６  孔、２０７  孔、
３  インナーパネル部、３０  インナーパネル部、３００  腕部、
３０１  孔、３０２  切り欠き、
３０４  爪部、３０５  爪部、３０６  爪部、３０７  爪部、
３０８  腕部、３０９  垂直部、
４  操作部、５  筐体、６  基板、６０１  孔、７  円筒部、７０１  孔、９  雄ネジ、
１００  オーディオ信号記録装置、２００  前面パネル部、３００  インナーパネル部
【図１】
2006295105.tif 000003
【図２】
2006295105.tif 000004
【図３】
2006295105.tif 000005
【図４】
2006295105.tif 000006
【図５】
2006295105.tif 000007
【図６】
2006295105.tif 000008
【図７】
2006295105.tif 000009
【図８】
2006295105.tif 000010
【図９】
2006295105.tif 000011
【図１０】
2006295105.tif 000012
【図１１】
2006295105.tif 000013